(57)【要約】  ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）またはＤＶＩ（Ｄｉｇｉｔａｌ  Ｖｉｓｕａｌ  Ｉｎｔｅｒｆａｃｅ）形式のデジタル映像伝送システムが提供される。本発明によるデジタル映像伝送システムの送受信補強装置は、送信部、受信部、及び電源供給回路を含む。電源供給回路は、送信部への第１電源供給部及び受信部への第２電源供給部を含む。第１及び第２電源供給部の電源出力端子は互いに連結される。第１及び第２電源供給部それぞれに入力された外部−電源電圧は電源出力端子を通じて出力される。第１及び第２電源供給部に入力された外部−電源電圧いずれもが設定電圧より低くなれば、第１及び第２電源供給部のうち、いずれか１つで、ホスト装置とディスプレイ装置との間の通信線路からの内部−電源電圧が電源出力端子を通じて出力される。
2010529771.tif 000002
【特許請求の範囲】
【請求項１】
ホスト装置、送受信補強装置、及びディスプレイ装置が備えられ、前記ホスト装置が前記送受信補強装置を通じて前記ディスプレイ装置にデジタル映像データを伝送するデジタル映像伝送システムにおいて、
前記送受信補強装置が送信部、受信部及び電源供給回路を含み、
前記電源供給回路が前記送信部への第１電源供給部及び前記受信部への第２電源供給部を含み、前記第１及び第２電源供給部の電源出力端子が互いに連結され、
前記第１及び第２電源供給部それぞれに入力された外部−電源電圧が前記電源出力端子を通じて出力され、
前記第１及び第２電源供給部に入力された外部−電源電圧いずれもが設定電圧より低くなれば、前記第１及び第２電源供給部のうち、いずれか１つで、前記ホスト装置とディスプレイ装置との間の通信線路からの内部−電源電圧が前記電源出力端子を通じて出力されるデジタル映像伝送システム。
【請求項２】
前記送受信補強装置において、
前記送信部が前記ホスト装置と結合され、前記受信部が前記ディスプレイ装置と結合され、通信線路が前記送信部と受信部との間に連結されたことを特徴とする請求項１に記載のデジタル映像伝送システム。
【請求項３】
前記第１電源供給部において、
第１外部−電源電圧が第１ダイオードを通じて第１電源出力端子に出力され、
前記ホスト装置からの内部−電源電圧がスイッチングトランジスタ及び第２ダイオードを通じて前記第１電源出力端子に出力され、
前記第１及び第２電源供給部に入力された外部−電源電圧いずれもが設定電圧より低くなれば、前記スイッチングトランジスタがオン（Ｏｎ）状態になることを特徴とする請求項１に記載のデジタル映像伝送システム。
【請求項４】
前記第２電源供給部において、
第２外部−電源電圧が第３ダイオードを通じて第２電源出力端子に出力され、
前記第２外部−電源電圧が第４ダイオードを通じて前記第１電源供給部に伝送されることを特徴とする請求項３に記載のデジタル映像伝送システム。
【請求項５】
前記第１電源供給部において、
前記スイッチングトランジスタがｐ−チャンネル電界効果トランジスタであり、
前記ｐ−チャンネル電界効果トランジスタのソースに前記ホスト装置からの内部−電源電圧が印加され、
前記ｐ−チャンネル電界効果トランジスタのドレインに前記第２ダイオードのアノードが連結されたことを特徴とする請求項４に記載のデジタル映像伝送システム。
【請求項６】
前記第１電源供給部において、
前記第１外部−電源電圧及び前記第２電源供給部からの前記第２外部−電源電圧が、論理和（ＯＲ）ゲートを通じて前記ｐ−チャンネル電界効果トランジスタのゲートに連結されたことを特徴とする請求項５に記載のデジタル映像伝送システム。
【請求項７】
前記ディスプレイ装置のＥＤＩＤ（Ｅｘｔｅｎｄｅｄ  Ｄｉｓｐｌａｙ  Ｉｄｅｎｔｉｆｉｃａｔｉｏｎ  Ｄａｔａ）がＩ２Ｃ（Ｉｎｔｅｒ−Ｉｎｔｅｇｒａｔｅｄ  Ｃｉｒｃｕｉｔ）通信プロトコルによって前記送受信補強装置を通じて前記ホスト装置に伝送され、
前記ホスト装置が前記ＥＤＩＤによって前記ディスプレイ装置にデジタル映像データを伝送することを特徴とする請求項１に記載のデジタル映像伝送システム。
【請求項８】
前記ホスト装置が、
オーディオデータ、クロック信号、及び前記デジタル映像データをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）形式によってＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号に変換して前記送受信補強装置に出力するＨＤＭＩ送信部と、
前記ＥＤＩＤによって前記ＨＤＭＩ送信部の動作を制御するグラフィック制御部と、を含み、
前記ディスプレイ装置が、
前記ＥＤＩＤを保存し、Ｉ２Ｃ（Ｉｎｔｅｒ−Ｉｎｔｅｇｒａｔｅｄ  Ｃｉｒｃｕｉｔ）通信プロトコルによって前記ホスト装置内のグラフィック制御部に前記ＥＤＩＤを提供するメモリと、
前記送受信補強装置からのＨＤＭＩ形式のＴＭＤＳ信号を前記オーディオデータ、クロック信号、及びデジタル映像データに復元するＨＤＭＩ受信部と、を含むことを特徴とする請求項７に記載のデジタル映像伝送システム。
【請求項９】
前記ホスト装置が、
クロック信号及び前記デジタル映像データをＤＶＩ（Ｄｉｇｉｔａｌ  Ｖｉｓｕａｌ  Ｉｎｔｅｒｆａｃｅ）形式によってＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号に変換して前記送受信補強装置に出力するＴＭＤＳ送信部と、
前記ＥＤＩＤによって前記ＴＭＤＳ送信部の動作を制御するグラフィック制御部と、を含み、
前記ディスプレイ装置が、
前記ＥＤＩＤを保存して、Ｉ２Ｃ（Ｉｎｔｅｒ−Ｉｎｔｅｇｒａｔｅｄ  Ｃｉｒｃｕｉｔ）通信プロトコルによって前記ホスト装置内のグラフィック制御部に前記ＥＤＩＤを提供するメモリと、
前記送受信補強装置からのＤＶＩ形式のＴＭＤＳ信号を前記クロック信号及びデジタル映像データに復元するＴＭＤＳ受信部と、を含むことを特徴とする請求項７に記載のデジタル映像伝送システム。
【請求項１０】
前記送受信補強装置の送信部と受信部との間の通信線路に光ケーブルが含まれ、
前記送受信補強装置の送信部において、
前記ホスト装置からの前記デジタル映像データ及び前記Ｉ２Ｃ通信用クロック信号とデータとが光信号に変換されて、前記光ケーブルに出力され、前記光ケーブルからの前記Ｉ２Ｃ通信用データが電気信号に変換されて前記ホスト装置に提供され、
前記送受信補強装置の受信部において、
前記光ケーブルからの光信号が前記デジタル映像データ及び前記Ｉ２Ｃ通信用クロック信号とデータとに変換されて、前記ディスプレイ装置に提供され、前記ディスプレイ装置からの前記Ｉ２Ｃ通信用データが光信号に変換されて前記光ケーブルに出力されることを特徴とする請求項７に記載のデジタル映像伝送システム。
【請求項１１】
前記送受信補強装置の送信部と受信部との間の通信線路に光ケーブルが含まれ、
前記送受信補強装置の送信部において、
前記ホスト装置からの前記デジタル映像データが光信号に変換されて前記光ケーブルに出力され、前記ホスト装置からの前記Ｉ２Ｃ通信用クロック信号とデータとがバッファリングされて、電気ケーブルに出力され、前記電気ケーブルからの前記Ｉ２Ｃ通信用データがバッファリングされて前記ホスト装置に提供され、
前記送受信補強装置の受信部において、
前記光ケーブルからの光信号が前記デジタル映像データに変換されて前記ディスプレイ装置に提供され、前記電気ケーブルからの前記Ｉ２Ｃ通信用クロック信号とデータとがバッファリングされて前記ディスプレイ装置に提供され、前記ディスプレイ装置からの前記Ｉ２Ｃ通信用データがバッファリングされて前記電気ケーブルに出力されることを特徴とする請求項７に記載のデジタル映像伝送システム。
【請求項１２】
前記送受信補強装置の送信部において、
前記ホスト装置からの前記デジタル映像データが増幅されて電気ケーブルに出力され、前記ホスト装置からの前記Ｉ２Ｃ通信用クロック信号とデータとがバッファリングされて前記電気ケーブルに出力され、前記電気ケーブルからの前記Ｉ２Ｃ通信用データがバッファリングされて前記ホスト装置に提供され、
前記送受信補強装置の受信部において、
前記電気ケーブルからのデジタル映像データが増幅されて前記ディスプレイ装置に提供され、前記電気ケーブルからの前記Ｉ２Ｃ通信用クロック信号とデータとがバッファリングされて前記ディスプレイ装置に提供され、前記ディスプレイ装置からの前記Ｉ２Ｃ通信用データがバッファリングされて前記電気ケーブルに出力されることを特徴とする請求項７に記載のデジタル映像伝送システム。
【発明の詳細な説明】
【技術分野】
【０００１】
本発明は、デジタル映像データを伝送するデジタル映像伝送システムに係り、さらに詳細には、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）またはＤＶＩ（Ｄｉｇｉｔａｌ  Ｖｉｓｕａｌ  Ｉｎｔｅｒｆａｃｅ）形式のデジタル映像伝送システムに関する。
【背景技術】
【０００２】
図１を参照すれば、基本的なＨＤＭＩ形式のデジタル映像伝送システムは、ホスト装置１１、ディスプレイ装置１２、及び電気ケーブルを含む。ここで、電気ケーブルは、ホスト装置１１の入出力端子ＴＨ１ないしＴＨ１４とディスプレイ装置１２の入出力端子ＴＤ１ないしＴＤ１４との間に連結される。
【０００３】
ホスト装置１１は、ＨＤＭＩ送信部１１１及びグラフィック制御部１１２を含む。ディスプレイ装置１２は、直列ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１２２及びＨＤＭＩ受信部１２１を含む。
【０００４】
ホスト装置１１内のＨＤＭＩ送信部１１１は、オーディオデータＳＡＵＤ、クロック信号ＳＣＳ、及びデジタル映像データＳＶＩＤをＨＤＭＩ形式によってＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号に変換してディスプレイ装置１２に出力する。
【０００５】
さらに詳細には、オーディオデータＳＡＵＤとデジタル映像データＳＶＩＤは、ＨＤＭＩ送信部１１１で処理され、２チャンネルの赤色信号ＳＲ＋、ＳＲ−、２チャンネルの緑色信号ＳＧ＋、ＳＧ−、そして２チャンネルの青色信号ＳＲ＋、ＳＲ−として出力される。クロック信号ＳＣＳは、ＨＤＭＩ送信部１１１で処理され、２チャンネルのクロック信号ＣＬＫ＋、ＣＬＫ−として出力される。
【０００６】
ディスプレイ装置１２内の直列ＥＥＰＲＯＭ１２２は、ディスプレイ装置１２のＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保存し、Ｉ２Ｃ（Ｉｎｔｅｒ−Ｉｎｔｅｇｒａｔｅｄ  Ｃｉｒｃｕｉｔ）通信プロトコルによってホスト装置１１内のグラフィック制御部１１２にＥＤＩＤを提供する。
【０００７】
前記のような  Ｉ２Ｃ通信において、グラフィック制御部１１２は、クロック信号ＳＣＬを直列ＥＥＰＲＯＭ１２２に伝送しつつ、直列ＥＥＰＲＯＭ１２２と共にデータ信号ＳＤＡを送受信する。グラフィック制御部１１２は、直列ＥＥＰＲＯＭ１２２の動作のために直列ＥＥＰＲＯＭ１２２に電源電位＋５Ｖと接地電位ＧＮＤを提供する。ディスプレイ装置１２は、ＨＰＤ（Ｈｏｔ  Ｐｌｕｇ  Ｄｅｔｅｃｔ）信号用電圧ＨＰＤをグラフィック制御部１１２に印加し、これにより、グラフィック制御部１１２は、ディスプレイ装置１２と連結されたことを感知する。使われていない予備端子ＴＨ１４、ＴＤ１４は、ＮＣ（Ｎｏ  Ｃｏｎｎｅｃｔｉｏｎ）端子と呼ばれる。
【０００８】
ホスト装置１１内のグラフィック制御部１１２は、ＥＤＩＤによってＨＤＭＩ送信部１１１の動作を制御する。
【０００９】
ディスプレイ装置１２内のＨＤＭＩ受信部１２１は、ホスト装置１１からのＨＤＭＩ形式のＴＭＤＳ信号をオーディオデータＳＡＵＤ、クロック信号ＳＣＳ、及びデジタル映像データＳＶＩＤに復元する。
【００１０】
図２は、一般的なＤＶＩ（Ｄｉｇｉｔａｌ  Ｖｉｓｕａｌ  Ｉｎｔｅｒｆａｃｅ）形式のデジタル映像伝送システムを示す。図２で、図１と同じ参照符号は、同じ機能の対象を示す。図１のシステムに対する図２のシステムの差異点のみを説明すれば次の通りである。図２を参照すれば、基本的なＤＶＩ形式のデジタル映像伝送システムは、ホスト装置２１、ディスプレイ装置２２、及び電気ケーブルを含む。ここで、電気ケーブルは、ホスト装置２１の入出力端子ＴＨ１ないしＴＨ１４とディスプレイ装置２２の入出力端子ＴＤ１ないしＴＤ１４との間に連結される。
【００１１】
ホスト装置２１は、ＴＭＤＳ送信部２１１及びグラフィック制御部２１２を含む。ディスプレイ装置２２は、直列ＥＥＰＲＯＭ２２２及びＴＭＤＳ受信部２２１を含む。
【００１２】
ホスト装置１１内のＴＭＤＳ送信部２１１は、クロック信号ＳＣＳ及びデジタル映像データＳＶＩＤをＤＶＩ形式によってＴＭＤＳ（ＴｒａｎｓｉｔｉｏｎＭｉｎｉｍｉｚｅｄＤｉｆｆｅｒｅｎｔｉａｌＳｉｇｎａｌｉｎｇ）信号に変換してディスプレイ装置２２に出力する。
【００１３】
ディスプレイ装置２２内の直列ＥＥＰＲＯＭ２２２は、ディスプレイ装置２２のＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保存し、Ｉ２Ｃ通信プロトコルによってホスト装置２１内のグラフィック制御部２１２にＥＤＩＤを提供する。
【００１４】
ホスト装置２１内のグラフィック制御部２１２は、ＥＤＩＤによってＴＭＤＳ送信部２１１の動作を制御する。
【００１５】
ディスプレイ装置２２内のＴＭＤＳ受信部２２１は、ホスト装置２１からのＤＶＩ形式のＴＭＤＳ信号をクロック信号ＳＣＳ及びデジタル映像データＳＶＩＤに復元する。
【００１６】
前記図１または図２のようなデジタル映像伝送システムにおいて、ホスト装置２１とディスプレイ装置２２との最長距離は１０ｍほどに制限される。ホスト装置２１とディスプレイ装置２２との距離が長い場合、光ケーブルモジュールまたはリピータ（ｒｅｐｅａｔｅｒ）のような送受信補強装置が必要である。
【００１７】
このような送受信補強装置には、送信部及び受信部が備えられる。送信部は、前記ホスト装置と結合され、受信部は前記ディスプレイ装置と結合され、通信線路が送信部と受信部との間に連結される。ここで、送信部と受信部には、各々外部電源によって動作する。
【００１８】
したがって、前記のようなデジタル映像伝送システムの送受信補強装置によれば、送信部に供給される第１外部−電源電圧と、受信部に供給される第２外部−電源電圧との間の差によって、送信部の動作と受信部の動作とが互いに均衡をなせない場合がある。この場合、送信部と受信部との間でデータ衝突が発生しうる。
【００１９】
また、送受信補強装置の外部電源が弱まる場合、デジタル映像データの伝送が円滑でなく、前記外部電源が遮断される場合、デジタル映像データの伝送が行えない問題点がある。
【発明の概要】
【発明が解決しようとする課題】
【００２０】
本発明の目的は、ホスト装置が送受信補強装置を通じてディスプレイ装置にデジタル映像データを伝送するデジタル映像伝送システムにおいて、送受信補強装置の送信部と受信部との間で発生するデータ衝突を防止し、送受信補強装置の外部電源が弱化または遮断されても、デジタル映像データの伝送が円滑に保たれるデジタル映像伝送システムを提供することである。
【課題を解決するための手段】
【００２１】
本発明のデジタル映像伝送システムは、ホスト装置、送受信補強装置、及びディスプレイ装置を具備する。前記ホスト装置は、前記送受信補強装置を通じて前記ディスプレイ装置にデジタル映像データを伝送する。
【００２２】
前記送受信補強装置は、送信部、受信部、及び電源供給回路を含む。
【００２３】
前記電源供給回路は、前記送信部への第１電源供給部及び前記受信部への第２電源供給部を含む。前記第１及び第２電源供給部の電源出力端子は、互いに連結される。前記第１及び第２電源供給部それぞれに入力された外部−電源電圧は、前記電源出力端子を通じて出力される。
【００２４】
前記第１及び第２電源供給部に入力された外部−電源電圧いずれもが設定電圧より低くなれば、前記第１及び第２電源供給部のうち、いずれか１つで、前記ホスト装置とディスプレイ装置との間の通信線路からの内部−電源電圧が前記電源出力端子を通じて出力される。
【発明の効果】
【００２５】
本発明の前記デジタル映像伝送システムによれば、前記送受信補強装置の前記第１及び第２電源供給部の電源出力端子は互いに連結される。これにより、前記送信部に供給される第１外部−電源電圧と前記受信部に供給される第２外部−電源電圧との間に差が存在しても、その中で高い電圧が前記送信部と受信部とに各々供給されるので、前記送信部の動作と前記受信部の動作とが互いに均衡をなしうる。したがって、前記送信部と前記受信部との間のデータ衝突が防止されうる。
【００２６】
一方、前記第１及び第２電源供給部に入力された外部−電源電圧いずれもが設定電圧より低くなれば、前記内部−電源電圧によって前記送受信補強装置の送信部と受信部とが動作する。これにより、前記送受信補強装置の外部電源が弱化または遮断されても、デジタル映像データの伝送が円滑に保たれる。
【図面の簡単な説明】
【００２７】
【図１】図１は基本的なＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）形式のデジタル映像伝送システムを示す図面である。
【図２】図２は基本的なＤＶＩ（Ｄｉｇｉｔａｌ  Ｖｉｓｕａｌ  Ｉｎｔｅｒｆａｃｅ）形式のデジタル映像伝送システムを示す図面である。
【図３】図３は本発明の実施例１による図１または図２のホスト装置とディスプレイ装置との間に介在される送受信補強装置での光ケーブルモジュールを示す図面である。
【図４】図４は図３の送受信補強装置に含まれた電源供給回路を詳細に示す図面である。
【図５】図５は本発明の実施例２による図１または図２のホスト装置とディスプレイ装置との間に介在される送受信補強装置での光ケーブルモジュールを示す図面である。
【図６】図６は本発明の実施例３による図１または図２のホスト装置とディスプレイ装置との間に介在される送受信補強装置でのリピータを示す図面である。
【発明を実施するための形態】
【実施例１】
【００２８】
図３は、本発明の実施例１によって図１または図２のホスト装置とディスプレイ装置との間に介在される送受信補強装置での光ケーブルモジュールを示す。図３で、図１または図２と同じ参照符号は同じ機能の対象を示す。前述したような図１または図２の基本的なデジタル映像伝送システムは、本発明の実施例１に同一に適用されるので、その少佐名説明は省略する。
【００２９】
図３を参照すれば、本発明の実施例１のデジタル映像伝送システムに含まれた送受信補強装置は、光ケーブルＴＨ１５−ＴＤ１５ないしＴＨ２１−ＴＤ２１、送信部３１、受信部３２、及び電源供給回路ＰＳＣ１を含む光ケーブルモジュールである。図３で、参照符号ＬＨ１ないしＬＨ６及びＬＤ１は発光ダイオードを、そしてＰＤ１ないしＰＤ６及びＰＨ１は受光ダイオードを示す。
【００３０】
送信部３１は、ホスト装置１１または２１からのデジタル映像データＳＲ＋ないしＣＬＫ−及び  Ｉ２Ｃ通信用クロック信号ＳＣＬとデータＳＤＡとを発光駆動部３１１によって光信号ＳＲないしＳＤＡＲに変換して光ケーブルＴＨ１５−ＴＤ１５ないしＴＨ２０−ＴＤ２０に出力し、光ケーブルＴＨ２１−ＴＤ２１からのＩ２Ｃ通信用データＳＤＡＬを電気信号に変換してホスト装置１１または２１に提供する。
【００３１】
受信部３２は、光ケーブルＴＨ１５−ＴＤ１５ないしＴＨ２０−ＴＤ２０からの光信号ＳＲないしＳＤＡＲを受光駆動部３１１によって前記デジタル映像データＳＲ＋ないしＣＬＫ−及び前記Ｉ２Ｃ通信用クロック信号ＳＣＬとデータＳＤＡとに変換して、ディスプレイ装置１２または２２に提供し、ディスプレイ装置１２または２２からのＩ２Ｃ通信用データＳＤＡを光信号ＳＤＡＬに変換して光ケーブルＴＨ２１−ＴＤ２１に出力する。
【００３２】
電源供給回路ＰＳＣ１は、送信部３１への第１電源供給部３１２及び受信部３２への第２電源供給部３２２を含む。第１及び第２電源供給部３１２、３２２の電源出力端子ＶＣＣ１、ＶＣＣ２は互いに連結される。第１及び第２電源供給部３１２、３２２各々に入力された外部−電源電圧ＶＥＸＴ１、ＶＥＸＴ２は電源出力端子ＶＣＣ１、ＶＣＣ２を通じて出力される。
【００３３】
第１及び第２電源供給部３１２、３２２に入力された外部−電源電圧ＶＥＸＴ１、ＶＥＸＴ２いずれもが設定電圧より低くなれば、第１及び第２電源供給部３１２、３２２のうち、いずれか１つで、ホスト装置１１または２１とディスプレイ装置１２または２２との通信線路からの内部−電源電圧＋５Ｖが電源出力端子ＶＣＣ１、ＶＣＣ２を通じて出力される。
【００３４】
前述したように、第１及び第２電源供給部３１２、３２２の電源出力端子ＶＣＣ１、ＶＣＣ２は、互いに連結される。これにより、送信部３１に供給される第１外部−電源電圧ＶＥＸＴ１及び受信部３２に供給される第２外部−電源電圧ＶＥＸＴ２間に差が存在しても、その中、高い電圧が送信部３１と受信部３２に各々供給されるので、送信部３１の動作と受信部３２の動作とが互いに均衡をなしうる。したがって、送信部３１と受信部３２とのデータ衝突を防止しうる。
【００３５】
一方、前述したように、第１及び第２電源供給部３１２、３２２に入力された外部−電源電圧ＶＥＸＴ１、ＶＥＸＴ２いずれもが設定電圧より低くなれば、前記内部−電源電圧＋５Ｖによって送受信補強装置の送信部３１と受信部３２とが動作する。これにより、送受信補強装置の外部電源が弱化または遮断されても、デジタル映像データの伝送が円滑に保たれる。
【００３６】
図４は、図３の送受信補強装置に含まれた電源供給回路ＰＳＣ１を詳細に示す。図４で、図３のような参照符号は同じ機能の対象を示す。図４で、参照符号Ｒ１ないしＲ５は電圧設定用抵抗器を示す。図１ないし４を参照して、電源供給回路  ＰＳＣ１を詳細に説明すれば、次の通りである。
【００３７】
第１電源供給部３１２において、第１外部−電源電圧ＶＥＸＴ１は、第１ダイオードＤ１を通じて第１電源出力端子ＶＣＣ１に出力される。ホスト装置１１または２１からの内部−電源電圧＋５Ｖは、スイッチングトランジスタとしてのｐ−チャンネル電界効果トランジスタＴＲＰ及び第２ダイオードＤ２を通じて第１電源出力端子ＶＣＣ１に出力される。
【００３８】
ここで、第１及び第２電源供給部３１２、３２２に入力された外部−電源電圧  ＶＥＸＴ１、ＶＥＸＴ２いずれもが設定電圧より低くなれば、ｐ−チャンネル電界効果トランジスタＴＲＰがオン（Ｏｎ）状態となる。
【００３９】
第２電源供給部３２２において、第２外部−電源電圧ＶＥＸＴ２が第３ダイオードＤ３を通じて第２電源出力端子ＶＣＣ２に出力され、第２外部−電源電圧ＶＥＸＴ２が第４ダイオードＤ４を通じて第１電源供給部３１２に伝送される。
【００４０】
第１及び第２電源供給部３１２、３２２の電源出力端子ＶＣＣ１、ＶＣＣ２は互いに連結される。
【００４１】
第１電源供給部３１２において、ｐ−チャンネル電界効果トランジスタＴＲＰのソースにホスト装置１１または２１からの内部−電源電圧＋５Ｖが印加される。ｐ−チャンネル電界効果トランジスタＴＲＰのドレインに第２ダイオードＤ２のアノードが連結される。
【００４２】
第１外部−電源電圧ＶＥＸＴ１及び第２電源供給部３２２からの第２外部−電源電圧ＶＥＸＴ２は論理和（ＯＲ）ゲート４０１を通じてｐ−チャンネル電界効果トランジスタＴＲＰのゲートに連結される。これにより、第１及び第２電源供給部３１２、３２２に入力された外部−電源電圧ＶＥＸＴ１、ＶＥＸＴ２いずれもが設定電圧より低くなれば、内部−電源電圧＋５Ｖはｐ−チャンネル電界効果トランジスタＴＲＰ及び第２ダイオードＤ２を通じて第１電源出力端子ＶＣＣ１に出力される。
【実施例２】
【００４３】
図５は、本発明の実施例２によって図１または図２のホスト装置１１または２１とディスプレイ装置１２または２２との間に介在される送受信補強装置での光ケーブルモジュールを示す。図５で、図３と同じ参照符号は、同じ機能の対象を示す。図５で、電源供給回路ＰＳＣ２の構成及び動作は、図３及び４の説明と同じである。図５の第１電源供給部５１２の内部構成は、図４の第２電源供給部３１２と同じである。図５の第２電源供給部５２２の内部構成は、図４の第２電源供給部３２２と同じである。したがって、図３の実施例１についての図５の実施例２の差異点のみを説明すれば、次の通りである。
【００４４】
本発明の実施例２のデジタル映像伝送システム内の送受信補強装置は、光ケーブルＴＨ１５−ＴＤ１５ないしＴＨ１８−ＴＤ１８、送信部５１、及び受信部５２を含む光ケーブルモジュールである。
【００４５】
送信部５１は、ホスト装置１１または２１からの８チャンネルのデジタル映像データＳＲ＋ないしＣＬＫ−を発光駆動部５１１によって４チャンネルの光信号ＳＲないしＣＬＫに変換して光ケーブルＴＨ１５−ＴＤ１５ないしＴＨ１８−ＴＤ１８に出力し、ホスト装置１１または２１からのＩ２Ｃ通信用クロック信号ＳＣＬとデータＳＤＡとをＩ２Ｃバッファ５１３によってバッファリングして電気ケーブルＴＨ１９−ＴＤ１９及びＴＨ２０−ＴＤ２０に出力し、電気ケーブルＴＨ２０−ＴＤ２０からのＩ２Ｃ通信用データＳＤＡをバッファリングしてホスト装置１１または２１に提供する。
【００４６】
受信部５２は、光ケーブルＴＨ１５−ＴＤ１５ないしＴＨ１８−ＴＤ１８からの４チャンネルの光信号ＳＲないしＣＬＫを受光増幅部６２１によって８チャンネルのデジタル映像データＳＲ＋ないしＣＬＫ−に変換してディスプレイ装置１２または２２に提供し、電気ケーブルＴＨ２０−ＴＤ２０からのＩ２Ｃ通信用クロック信号ＳＣＬとデータＳＤＡをＩ２Ｃバッファ６２３によってバッファリングしてディスプレイ装置１２または２２に提供し、ディスプレイ装置１２または２２からのＩ２Ｃ通信用データＳＤＡをＩ２Ｃ  バッファ６２３によってバッファリングして電気ケーブルＴＨ２０−ＴＤ２０に出力する。
【００４７】
図６は、本発明の実施例３によって図１または図２のホスト装置１１または２１とディスプレイ装置１２または２２との間に介在される送受信補強装置でのリピータを示す。図６で、図３と同じ参照符号は、同じ機能の対象を示す。図６で、電源供給回路ＰＳＣ３の構成及び動作は、図３及び４の説明と同じである。図６の第１電源供給部６１２の内部構成は、図４の第２電源供給部３１２と同じである。図６の第２電源供給部６２２の内部構成は、図４の第２電源供給部３２２と同じである。したがって、図３の実施例１についての図６の実施例３の差異点のみを説明すれば、次の通りである。
【００４８】
本発明の実施例３のデジタル映像伝送システム内の送受信補強装置でのリピータは送信部６１及び受信部６２を含む。
【００４９】
送信部６１は、ホスト装置１１または２１からの８チャンネルのデジタル映像データＳＲ＋ないしＣＬＫ−をＴＭＤＳ増幅部６１１によって増幅して電気ケーブルＴＨ１５−ＴＤ１５ないしＴＨ１８−ＴＤ１８に出力し、ホスト装置１１または２１からのＩ２Ｃ通信用クロック信号ＳＣＬとデータＳＤＡをＩ２Ｃバッファ６１３によってバッファリングして電気ケーブルＴＨ１９−ＴＤ１９及びＴＨ２０−ＴＤ２０に出力し、電気ケーブルＴＨ２０−ＴＤ２０からのＩ２Ｃ通信用データＳＤＡをＩ２Ｃバッファ６１３によってバッファリングしてホスト装置１１または２１に提供する。
【００５０】
受信部６２は、電気ケーブルＴＨ１５−ＴＤ１５ないしＴＨ１８−ＴＤ１８からのデジタル映像データＳＲ＋ないしＣＬＫ−をＴＭＤＳ制限増幅部６２１によって制限的に増幅してディスプレイ装置１２または２２に提供し、電気ケーブルからのＩ２Ｃ通信用クロック信号ＳＣＬとデータＳＤＡをＩ２Ｃバッファ６２３によってバッファリングしてディスプレイ装置１２または２２に提供し、ディスプレイ装置１２または２２からのＩ２Ｃ通信用データＳＤＡをＩ２Ｃバッファ６２３によってバッファリングして電気ケーブルＴＨ２０−ＴＤ２０に出力する。
【００５１】
前述したように、本発明によるデジタル映像伝送システムによれば、送受信補強装置の第１及び第２電源供給部の電源出力端子は互いに連結される。これにより、送信部に供給される第１外部−電源電圧及び受信部に供給される第２外部−電源電圧間に差が存在しても、そのうち、高い電圧が送信部と受信部とに各々供給されるので、送信部の動作と受信部の動作とが互いに均衡をなしうる。したがって、送信部と受信部との間でのデータ衝突が防止しうる。
【００５２】
一方、第１及び第２電源供給部に入力された外部−電源電圧いずれもが設定電圧より低くなれば、内部−電源電圧によって送受信補強装置の送信部と受信部とが動作する。これにより、送受信補強装置の外部電源が弱化または遮断されても、デジタル映像データの伝送が円滑に保たれる。
【００５３】
本発明は、前記実施例に限定されず、特許請求の範囲で定義された発明の思想及び範囲内で当業者によって変形及び改良することが可能である。
【図１】
2010529771.tif 000003
【図２】
2010529771.tif 000004
【図３】
2010529771.tif 000005
【図４】
2010529771.tif 000006
【図５】
2010529771.tif 000007
【図６】
2010529771.tif 000008
【国際調査報告】
2010529771.tif 000009
2010529771.tif 000010